(57)【特許請求の範囲】
【請求項１】
バルーンカテーテルのための膨張装置であって、この装置が、
軸（ａｘｉｓ）を有するバレルと、
バレルの少なくとも一部分を囲むカラーであって、カラー及びバレルがお互いに対して軸方向に可動であり、バレルがカラー内で均衡位置を有するカラーと、
バレル内に少なくとも部分的に配置されるピストンと、
バレルとカラーとピストンとに接続する、ナットを具備する係合機構と
を具備する膨張装置において、
バレルが均衡位置にあるときに、前記ナットは、前記ピストンに接触して、バレル内でピストンを軸方向に固定しており、バレルが均衡位置にないときに、前記ナットは前記ピストンから切り離されて、ピストンがバレル内で自由に動くことを可能にする、バルーンカテーテルのための膨張装置。
【請求項２】
バレルとカラーが、それぞれ円筒状であり、
バレルが均衡位置に向かって押しつけられる（ｂｉａｓｅｄ）請求項１に記載の膨張装置。
【請求項３】
前記ナットが、ピンによりバレルに接続しており、バレルが均衡位置にあるときに、ナットがピストンのねじ切られた部分に接触してピストンを軸方向に固定しており、
カラー内のバレルの動きにより、ナットがピンの周りを回転し、ピストンのねじ切られた部分からナットを切り離す請求項２に記載の膨張装置。
【請求項４】
前記ナットが、歯車を経由してバレルに接続しており、
バレルが均衡位置にあるときに、ナットがピストンのねじ切られた部分に接触してピストンを軸方向に固定しており、
カラー内のバレルの動きにより、カラーのラックが歯車を回転し、ピストンのねじ切られた部分からナットを切り離す請求項２に記載の膨張装置。
【請求項５】
前記ナットが、リンク部材を経由してバレルに接続しており、リンク部材がカラーに接続しており、
バレルが均衡位置にあるときに、ナットがピストンのねじ切られた部分に接触してピストンを軸方向に固定しており、
カラー内のバレルの動きによりリンク部材が、前記ナットを動かして、ピストンのねじ切られた部分からナットを切り離す請求項２に記載の膨張装置。
【請求項６】
バルーンカテーテルのための膨張装置であって、この装置が、
バレル軸（ｂａｒｒｅｌ  ａｘｉｓ）と近位端部と遠位端部とを有するバレルと、
ねじ切られた部分を具備していて、バレル内に少なくとも部分的に配置されるピストンと、
バレルの少なくとも一部分を囲むカラーであって、カラー及びバレルがお互いに対して軸方向に可動であり、バレルがカラー内でカラースプリングにより均衡位置に向かって押しつけられており、カラーカム面を具備するカラーと、更に
ナットが、バレルに接続していて、内側のねじ切られた面及び外側のカム面を具備していて、バレル軸に対して実質的に横の軸に沿って可動であって、カラーカム面に向かって押しつけられており、外側のカム面がカラーカム面に接しているナットと、
を具備する膨張装置において、
バレルが均衡位置にあるときに、前記ナットは、ナットの内側のねじ切られた面が前記ピストンのねじ切られた部分に係合する、固定位置にあるので、前記ピストンを回転させることによる、バレル内でのピストンの動きだけを可能にしており、更にバレルが均衡位置から動くときに、カラーカム面がナットを横に動かす（ｄｅｆｌｅｃｔ）ので、前記ナットの内側のねじ切られた面は、前記ピストンのねじ切られた部分との係合が切り離されて、ピストンがバレル内で自由に可動である、バルーンカテーテルのための膨張装置。
【請求項７】
ナットがバレル内の凹部内に少なくとも部分的に配置される請求項６に記載の膨張装置。
【請求項８】
ナットがナットスプリングによりカラーカム面に向かって押しつけられる請求項７に記載の膨張装置。
【請求項９】
内側のねじ切られた面及び外側のカム面が、ピストンの実質的に対向する側に配置される請求項８に記載の膨張装置。
【請求項１０】
ピストンが、ピストンの近位端部に接続するハンドルを更に具備しており、
ナットが固定位置にあるときに、カラーに対するハンドルの動きが、均衡位置からバレルを動かす請求項８に記載の膨張装置。
【請求項１１】
ハンドルがカラーに対して近位に引かれるときに、バレルが均衡位置から近位に動き、ピストンがバレルに対して近位に動く請求項１０に記載の膨張装置。
【請求項１２】
カラーカム面が双方向のカム面である請求項８に記載の膨張装置。
【請求項１３】
内側のねじ切られた面及び外側のカム面が、ピストンの実質的に対向する側に配置される請求項１２に記載の膨張装置。
【請求項１４】
ピストンの近位端部に接続するハンドルを更に具備しており、
ナットが固定位置にあるときに、カラーに対するハンドルの動きが、均衡位置からバレルを動かす請求項１２に記載の膨張装置。
【請求項１５】
ハンドルがカラーに対して近位に引かれるときに、バレルが均衡位置から近位に動き、ピストンがバレルに対して近位に動き、更に
ハンドルがカラーに対して遠位に押されるときに、バレルが均衡位置から遠位に動き、ピストンがバレルに対して遠位に動く請求項１４に記載の膨張装置。
【請求項１６】
ナットがバレル軸に対して角度を持って凹部内に配置される請求項１５に記載の膨張装置。
【請求項１７】
ナットがバレル内の開口を通り伸張してカラーカム面に接する請求項１６に記載の膨張装置。
【請求項１８】
バルーンカテーテルのための膨張装置において、この装置が、
軸と近位端部と遠位端部とを有する円筒状のバレルであって、バレルの遠位端部が、バルーンカテーテルに流体連絡するように製作されており、バレルがそこに凹部（ｒｅｃｅｓｓ）と開口を有しており、凹部と開口がお互いに実質的に半径方向に対向して配置される円筒状のバレルと、
ピストンが、
バレル内に配置されていて、バレルの内面に対するシールを保持するピストンヘッドと、
ねじ切られた部分を具備していて、バレル内に少なくとも部分的に配置される軸（ｓｈａｆｔ）であって、軸の遠位端部がピストンヘッドに接続しており、軸の近位端部がバレルの近位端部の外側に伸張する軸と、
軸の近位端部に接続するハンドルと、
を具備するピストンと、
バレルの少なくとも一部分を囲む円筒状のカラーであって、カラー及びバレルがお互いに対して軸方向に可動であり、バレルがカラースプリングによりカラー内で均衡位置に向かって押しつけられる円筒状のカラーと、
カラーの内面に配置されていて、前記バレル内の開口に整列するカラーカム面と、更に
ナットが、バレルの凹部内に少なくとも部分的に配置されていて、内側のねじ切られた面及び外側のカム面を具備していて、バレル軸に対して実質的に横の軸に沿って可動であって、ナットスプリングによりカラーカム面に向かって押しつけられており、外側のカム面がバレル内の開口を通り伸張すると共にカラーカム面に接しているナットと、
を具備する膨張装置であって、
バレルが均衡位置にあるときに、ナットの内側のねじ切られた面が、ナットの内側のねじ切られた面が軸のねじ切られた部分に係合する固定位置にあり、バレル内のピストン自由な動きを防止しており、更に
バレルが均衡位置から動くときに、カラーカム面がナットを横に動かすので、ピストンがバレル内で自由に可動であるバルーンカテーテルのための膨張装置。
【請求項１９】
内側のねじ切られた面及び外側のカム面が、ピストンの実質的に対向する側に配置される請求項１８に記載の膨張装置。
【請求項２０】
ナットが固定位置にあるときに、カラーに対するハンドルの動きが、均衡位置からバレルを動かす請求項１８に記載の膨張装置。
【請求項２１】
ハンドルがカラーに対して近位に引かれるときに、バレルが均衡位置から近位に動き、ピストンがバレルに対して近位に動く請求項２０に記載の膨張装置。
【請求項２２】
カラーカム面が双方向のカム面である請求項１８に記載の膨張装置。
【請求項２３】
内側のねじ切られた面及び外側のカム面が、ピストンの実質的に対向する側に配置される請求項２２に記載の膨張装置。
【請求項２４】
ナットが固定位置にあるときに、カラーに対するハンドルの動きが、均衡位置からバレルを動かす請求項２２に記載の膨張装置。
【請求項２５】
ハンドルがカラーに対して近位に引かれるときに、バレルが均衡位置から近位に動き、ピストンがバレルに対して近位に動き、更にハンドルがカラーに対して遠位に押されるときに、バレルが均衡位置から遠位に動き、ピストンがバレルに対して遠位に動く請求項２４に記載の膨張装置。
【請求項２６】
バレルの凹部がバレル軸に関して角度を持って配置される請求項２５に記載の膨張装置。
【請求項２７】
バレルが、ピストンを支持する支持構造を具備しており、  バレルの凹部が支持構造内に形成される請求項２５に記載の膨張装置。
【発明の詳細な説明】
【０００１】
・発明の分野
本発明は、膨張装置に係わり、特別にはバルーンカテーテル等の、膨張可能な部材と共に使用するための膨張装置に関する。
【０００２】
・背景の説明
バルーンカテーテルは、バルーン血管形成術（ａｎｇｉｏｐｌａｓｔｙ）及びステント（ｓｔｅｎｔ）処置（ｄｅｌｉｖｅｒｙ）等の、幾つかの医療工程で使用される。バルーンは、注射器（ｓｙｒｉｎｇｅ）アセンブリの一般的な形で膨張装置により膨張されても良く、一般的に前記装置が、バルーン圧力の適正な調整可能である一方で、バルーンの迅速な膨張又は収縮を可能にすることは好都合である。更に膨張装置が、オペレータが連続的に力を適用しないで、所定の圧力でバルーンを維持することは好都合である。
【０００３】
例えばＲｙａｎの米国特許第５，１３７，５１４号及びＲｏｂｉｎｓｏｎ等の米国特許第５，１４７，３００号等の、注射器のピストンを、自由に往復動する方法、及びねじ切られるか又はロック（固定）された方法の両方で、バレル（筒）に対して動かすことが出来る、注射器設計の幾つかの膨張装置が提案されている。これらの特許で開示されるの様な装置は、ピストンをねじ切られた形態（ｍｏｄｅ）にロックしても良いねじ係合機構を具備する。しかし各ケースにおいて、オペレータは、ねじ係合機構が解放される前に、トリガを押すか又は制御ボタンを動かすかのいずれかが必要である。
【０００４】
・発明の概要
本発明による膨張装置は、バレルと、少なくとも部分的にバレル内に配置されるピストンと、更にバレルの少なくとも一部分を囲むカラーとを具備する。ピストンはねじ切られた部分を具備する。カラー及びバレルは、バレルがカラースプリングにより、カラー内の均衡位置に向かって押しつけられた状態で、お互いに関して軸方向に可動である。ナットは、バレルの凹部内に少なくとも部分的に配置されても良く、ナットは内部のねじ切られた面及び外部のカム（ｃａｍｍｉｎｇ）面を具備する。ナットは、バレルの軸に対して実質的に横の軸に沿って可動であっても良く、ナットスプリングによりカラーカム面に向かって押しつけられることが好ましい。バレルが均衡位置にある場合に、ナットの内部のねじ切られた面は、バレル内のピストンの自由な動きを妨げる固定位置にある。バレルが均衡位置から動く場合に、カラーカム面はナットを横に動かすので、ピストンはバレル内で自由に動くことが出来る。
【０００５】
・詳細な説明
図１は、本発明による膨張装置の例示の実施の形態を示す。例示の膨張装置は、カラー１３により囲まれるバレル１１を具備する。ピストン１５は、ハンドル２３がピストン１５の近位端部に設置される状態で、バレル１１と共に作用して注射器アセンブリを形成しており、「近位」とは一般的にオペレータに（図２から４では右に向かって）より近い膨張装置の部分を意味する。以下に記述する機構を経由して、バレル１１はカラー１３内で軸方向に可動であるが、中央の均衡位置に向かって押しつけられる（ｂｉａｓｅｄ）。バレル１１がその均衡位置にあるときに、ピストン１５はバレル１１内でねじの動きだけが可能である。しかし、バレル１１が均衡位置から離れるように動くときに、ピストン１５はバレル１１内で自由に可動である。以下で記述するように、ピストン１５を引くか又は押すと、バレル１１はその均衡位置から離れるように動く傾向がある。従ってもし、ピストン１５をバレル１１内で素早く動かす必要がある場合は、ピストン１５は単純に所定の方向で押すか又は引かれても良く、それはその方向で自由に動く。一旦放すと、ピストン１５は、バレル１１内で所定位置に再度固定され、ねじの動き（ｔｈｒｅａｄａｂｌｅ  ｍｏｖｅｍｅｎｔ）だけが可能である。
【０００６】
バレル１１は円筒形状であることが好ましく、「円筒状」という用語には、バレル１１（又は任意の別の要素）が実質的に円筒形状である形態が含まれる。バレル１１の遠位端部は、例えばバルーンカテーテル（図示されない）の様な、膨張可能な部材に接続し且つ流体連絡するように構成される。任意の既知又は適切な接続部がこの目的で使用されても良い。バレル１１の近位の端部は、ピストン１５を収容するために開いた状態でも良い。カラー１３はまた、円筒形状であることが好ましく、バレル１１の外側面を見せるアーチ形の開口４９を具備しても良い。従って開口４９により、図１及び５で最も良く分かるように、オペレータがバレル１１の外側面の目盛りのマーキングを見ることが出来ても良い。
【０００７】
ピストン１５はバレル１１内に部分的に配置されており、ピストンヘッド１７と、軸２１と、ハンドル２３を具備することが好ましい。ピストンヘッド１７は、バレル１１の遠位部分内に流体を保持するように設計されており、バレル１１の内側面に対してシールを形成する任意の形状を具備しても良い。例示の実施の形態においてピストンヘッド１７は、幅広い円錐形の遠位端部面及びピストンヘッド１７の外側周囲溝に配置されることが好ましいＯリング１９を具備する。Ｏリング１９は、バレル１１の内側面に対して弾力性のあるシールを保持するために、圧縮できることが好ましい。
【０００８】
図２から４の図示される実施の形態において、軸２１は、バレル１１の近位部分に設置された内側の支持構造６５によりバレル１１内で支持される。ピストン１５を安定にすることに加えて、支持構造６５は、ピストンヘッド１７に対する受け面（ａｂｕｔｍｅｎｔ）として作用しても良く、所定の地点を越えるピストン１５の近位の動きを防止する。軸２１は、以下に詳細に記述するように、ナット３１のねじ切られた面３３に係合するねじ切られた部分２２を具備する。膨張可能な部材を膨張するために使用される膨張流体が、近位方向にピストン１５に力を作用する場合があるので、ねじ切られた部分２２とナット３１の間の係合が、ピストン１５の近位の動きに特に抵抗することが好都合である。結局ねじ切られた部分２２は、各ねじの遠位面が、ねじの近位面よりピストン軸に対してより高い角度で配置される非対称な（ａｓｙｍｍｅｔｒｉｃａｌ）ねじを具備することが好ましい。このねじの形態は図２から４の各々に図示される。
【０００９】
ハンドル２３は、必要であれば、軸２１の近位端部に具備されても良い。ハンドル２３は、任意の適当な形状を具備して良く、ノブ、リング、又はオペレータにより操作可能な別のつかむことが可能な部材を具備する。しかしハンドル２３は図１から４に示されるように、軸２１に横に配置される曲線で細長い部材であることが好ましい。
【００１０】
ピストン１５の軸方向の動きは、バレル１１内にやはり具備されても良いナット３１により調整されても良い。ナット３１は、バレル１１及び軸２１に対して実質的に横方向である軸に沿って可動であることが好ましい。ナット３１の軸方向の動きを防止するために、ナット３１は、任意の適当な状態で、軸方向の位置で保持されても良いが、ナット３１は、バレル１１の凹部６３内に保持されることが好ましい。「凹部」は、ナット３１の軸方向の動きを最小限にするか又は防止する任意の形状を具備することが理解されるべきである。従って凹部６３は、例えばバレル１１内の１以上の開口等の、バレル１１の内側面に配置された積極的な（ｐｏｓｉｔｉｖｅ）構造、又はバレル１１の内側面上の１以上の刻み目（ｉｎｄｅｎｔａｔｉｏｎｓ）を具備しても良い。図示された実施の形態において凹部６３は、支持構造６５内に形成されており、例えばナットスプリング３７を支持するような形状の開口を具備する。
【００１１】
ナット３１は例えば、ねじ切られた部分２２に選択的に係合する内側のねじ切られた面３３を具備する。一般的に「ナット」とは、ねじ切られた面等を具備する任意の要素を具備すると認識されるべきである。ナット３１はまた、ピストン１５に対して内側のねじ切られた面３３に実質的に対向して設置されることが好ましい外側のカム面３５を具備することが好ましい。ナット３１は、外側のカム面３５がカラーカム面３９に接触しても良いように、バレル１１内の開口６１を通り伸張しても良い。カラーカム面３９は従って、突き出る外側のカム面３５がカラーカム面３９に接触するように、開口６１に整列することが好ましい。外側のカム面３５は、外側のカム面３５がカラーカム面３９に沿って滑らかに滑ることが可能な、滑らかな凸面として形成されることが好ましい。但し、外側のカム面の任意の適当な形状が適用されても良い。カム面３５と３９間の接触を保持するために、ナットスプリング３７は、カラーカム面３９に向かってナット３１を押しつけるように形成されており、「ナットスプリング」は、任意のスプリング、弾性部材又はカラーカム面３９に向かってナット３１を押しつけ可能な別の要素を具備する。
【００１２】
カラーカム面３９は、双方向性であることがことが好ましく、これは、ナット３１がカラーカム面３９に沿って近位又は遠位のいずれかで動く場合に、ナット３１がカラーカム面３９により下方向に押しつけられる（図２から４で示される様に）ことを意味する。特別には、カラーカム面３９は、図２から４で示されるように、浅い凹面であることが好ましい。更にバルーンの加圧（膨張）及びバルーンの収縮における力は異なるので、カラーカム面３９は、その遠位端部に向かってよりもその近位端部に向かってより傾斜が少ないことが好ましい。これにより、バルーンを収縮する場合に、オペレータはより大きな機械的な恩恵を受ける。これとは別に浅いＶ形状又は別の適当な形状の面が適用されても良い。双方向のカラーカム面３９は、もし単一方向だけの自由な動きが必要な場合には、具備される必要はない。その状態において、「単一方向の」カム面が具備されても良い。
【００１３】
その「ホームポジション」と定義されても良い偏らない均衡位置において、バレル１１は、外側のカム面３５がカラーカム面３９の谷の中央地点又はその近傍に存在しても良いように、カラー１３内で軸方向に配置される。この位置は図２で示される。バレル１１は、バレル１１及びカラー１３の両者に係合するカラースプリング４１により均衡位置に向かって押されて（ｕｒｇｅｄ）も良い。図示される実施の形態においてカラースプリング４１は、バレル１１の外側面及びカラー１３の内側面に配置される複数の接合部（ａｂｕｔｍｅｎｔｓ）４３により仕切られる（ｂｏｒｄｅｒｅｄ）。バレル１１がカラー１３内で軸方向に動く際に、接合部４３は、お互いに干渉しないように、半径方向に間隔を開けられても良い。バレル１１がその均衡位置にある場合に、ナット３１は、内側のねじ切られた面３３が軸２１のねじ切られた部分２２に係合する「固定位置」にある。ナット３１が固定位置にある場合に、ピストン１５はバレル１１内でねじの動きだけが可能である。即ちピストン１５は回転しても良く、更に回転が良好な軸方向の動きを生じる。
【００１４】
図３は均衡位置から離れるバレル１１を備える膨張装置を示しており、それは、この図においてピストン１５を近位に引くことにより達成される。カラー１３に対するピストン１５の近位への動きは最初に、カラー１３内でバレル１１及びピストン１５を近位に動かす（バレル１１及びピストン１５は最初はナット３１により固定されるので）。バレル１１及びピストン１５のこの近位への動きにより、ナット３１はカラーカム面３９に沿って移動させられており、ナット３１――及び特別には内側のねじ切られた面３３――を下方向に（図３に関して）押しつける。結局、内側のねじ切られた面３３はもはや、ねじ切られた部分２２に係合しないで、ピストン１５はバレル１１内で自由に可動になる。「自由に可動」とは、ピストン１５が、回転しないで、軸方向に動いても良い状態を単に示しており、ピストン１５が内側のねじ切られた面３３と幾分少し接触を保持する動きを含むことが理解されるべきである。
【００１５】
ピストン１５が所定の位置に達した場合に、もし必要ならば、オペレータは、カラー１３を保持する一方で、ピストン１５を単に放すかあるいは膨張装置全体を単に放すことが出来る。カラースプリング４１はその後、その均衡位置にバレル１１を押し（ｕｒｇｅ）、それにより順にナット３１が固定位置（図２で示す様な）に戻ることが可能になる。ピストン１５はその後、バレル１１内で軸方向に固定されて、ねじの動きだけが可能である。この状態において、膨張可能な部材を素早く収縮することが必要な場合に、オペレータはピストン１５を近位に引き、ピストン１５をバレル１１内の所定の位置まで引き込んでも良い。一旦所定の圧力に到達すると、オペレータは、ピストン１５を放すか又は装置全体を解放可能である。バレル１１は、カラースプリング４１によりその均衡位置に押されて、ナット３１は固定位置に設定され（ｅｎｔｅｒ）、それによりオペレータにより良好な調整状態にピストン１５の軸方向の動きを制限する。
【００１６】
図４は、例えばピストン１５を遠位に素早く動かしてバルーンカテーテルを膨張することが必要な場合の、反対の状態の同じ基本概念を示す。ピストン１５を遠位方向でバレル１１内に動かすことにより（即ち、図４で左へ）、バレル１１をカラー１３内で遠位に動かす。この動きにより、順次ナット３１をカラーカム面３９に沿って移動させて、ナット３１を下方に押しつける。結局ピストン１５はバレル１１内で自由に可動になり、それが押される限り、遠位方向の動きを継続する。ピストン１５が放される時に、バレル１１は均衡位置に戻り、ナット３１は固定位置に戻り、ピストン１５を所定位置に固定する。
【００１７】
本発明による膨張装置は従って、装置のオペレーションがオペレータにとって効果的に明瞭であるので、使用するのに非常に単純かつ便利である。ピストン１５は、動きの所定の方向に力を適用することにより、非常に素早く簡単に近位又は遠位に駆動されても良い。一旦所定の位置に達すると、ピストン１５は、それを放すことにより所定の位置に固定されても良い。同時にピストン１５の良好な調整が、ピストン１５を回転することにより、簡単に達成される。オペレータは別個のトリガ、ボタン又はスウィッチを作動することは強制されないので、オペレータは自由であり、仕事に、より良好に集中できる。
【００１８】
タブ５１と５３により、バルーンを減圧するか又は、もしバルーンが真空状態まで放出された場合に、バルーンを加圧する（即ち真空を排除する）、別の方法が提供される。オペレーションにおいて、バルーン等の膨張可能な部材は、ある期間高圧で維持されても良い。これとは別にバルーンは真空状態まで排気されても良い場合がある。これらの状態は、タブ５１と５３を共に単純に締めつけて（ｓｑｕｅｅｚｉｎｇ）バレル１１をカラー１３内で押しつけることにより取り消しても良い。これによりナット３１をその固定位置から離れるように動かし、ピストン１５をバレル１１内で自由に動かして、バルーンを減圧又は加圧（その初期状態によって）する事が可能である。タブ５１と５３を片手だけで共に締めつけても良く、オペレータのもう一方の手が塞がっている場合でさえも、減圧又は加圧が可能である。
【００１９】
本発明による膨張装置は、任意の適当な材料及び製造方法を使用して製造されても良い。バレル１１は、ガラス又はポリカーボネート等の、透明な（ｃｌｅａｒ）プラスティックにより形成されることが好ましい。カラー１３は、ピストンがポリカーボネートにより形成されても良い一方で、ＡＢＳ（アクリロニトリル−ブタジエン−スチレン樹脂：ａｃｒｙｌｏｎｉｔｒｉｌｅ−ｂｕｔａｄｉｅｎｅ−ｓｔｙｌｅｎｅ）から形成されることが好ましい。
【００２０】
図６から１３は、本発明による膨張装置の別の実施の形態を示す。図６では例えば、凹部６３及びナット３１は、ピストン１５に対して少し「後傾角度（ｂａｃｋｗａｒｄ  ａｎｇｌｅ）」で配置される。このオペレーションにおいて、ピストン１５からの背圧は、角度のある凹部６３に対してナット３１を駆動し、それはナット３１を下方向に（図６で示されるように）偏よらせる（ｄｅｔｌｅｃｔ）。この下向きの力は、例えば、内側のねじ切られた面３３及びねじ切られた部分２２の係合を促進しても良い。これとは別に凹部６３及びナット３１は、ピストンからの背圧が、内側のねじ切られた面３３及びねじ切られた部分２２の係合を軽減する傾向のある少し「前傾角度（ｆｏｒｗａｒｄ  ａｎｇｌｅ）」で保持可能である。前傾角度の配置は、例えば、ねじ間の摩擦により取り外しを困難にする高圧の用途において特に好都合である。
【００２１】
図７から１３は、ナット３１及びピストン１５の係合を制御するための、幾つかの別の例示の係合機構を示す。各これらの配置において、係合機構は、バレル１１と、カラー１３と、ピストン１５に接続する。上記の機構のように、カラー１３内のバレル１１の軸方向の動きは、係合機構を切り離し、バレル１１内のピストン１５の自由な動きを可能にする。同様にバレル１１がその均衡位置にある場合に、ピストン１５はバレル１１内で軸方向に固定されており、ねじの動きだけが可能である。上記の機構のように、バレル１１はその均衡位置に押しつけられても良い。
【００２２】
図７と８は、基本的にレバー形状の係合機構を示す。特別には、外側のカム面３５のカラーカム面３９に沿った動きにより、ナット３１はピン７１の周りを回転し、ナット３１をピストン１５から取り外す。
【００２３】
別の実施の形態において、ナット３１とカラー１３間の直接的な連結（ｌｉｎｋａｇｅ）があっても良い。図９と１０は例えば、歯車又はラックとピニオン配置の形の係合機構を示す。図９では例えば、歯車９１がピボット９５を介してバレル１１に回転可能に接続しても良い一方で、ラック８１が、カラー１３に接続しても良い。リンクアーム９７はまた、例えばピボット９９において歯車９１に接続する。バレル１１がカラー１３内で動く際に、歯車９１が回転し、リンクアーム９７により内側のねじ切られた面をピストン１５から離れるように引くように、ラックの歯８３は歯車の歯９３と協働する。図１０は、リンクアーム９７がピボット９５の対向する側で歯車９１に接続する以外は、基本的に同じ配置であり、更に内側のねじ切られた面３３がピストン１５の対向する側にある。この形態において、カラー１３内のバレル１１の動きにより、リンクアーム９７は内側のねじ切られた面３３をピストン１５から離れるように押す（引くよりはむしろ）。
【００２４】
図１１から１３では、連結配置を含む係合機構を示す。図１１では例えば、リンク部材１０３は、ピボット１０５においてカラー１３に、更にピボット１０７においてバレル１１に回転可能に接続する。ナット３１に配置されるピン１１１は、スロット接触面１０９の直ぐ下でリンク部材１０３のスロットを通り突き出る。バレル１１がカラー１３内で動く際に、リンク部材１０３は回転する。スロット接触面１０９は、ピン１１１の１つに接触して、ナット３１を下方に押しつける（図１１で示すように）ので、内側のねじ切られた面３３はピストン１５から切り離される。図１２においてスロット接触面１０９は、図１１の場合とは反対の方向に向かっており、内側のねじ切られた面３３はピストン１５の対向する側にある。この配置においてバレル１１の動きにより、リンク部材１０３は内側のねじ切られた面３３をピストン１５から離れるように引く（押すよりはむしろ）。図１３の実施の形態においてリンク部材１０３は、Ｌ形状で形成されており、アームはピボット１０７の周りを回転し、内側のねじ切られた面３３をピストン１５と係合させるように動き、バレル１１がカラー１３内で動いた際に、ピストン１５との係合が外れるように動かす。
【００２５】
本発明による装置は、幾つかの例示の実施の形態に関して説明されている。しかし、構成要素が例示として明確に指示されていない場合であっても、当業者にとって明白な上記の実施の形態の多くの別の変形があることが認識できる。例えばカラーカム面３９は、凹面よりむしろ凸であり得るし、内側のねじ切られた面３３は従って、カラーカム面３９の様に、ピストン１５の同じ側に配置可能である。更に膨張装置は、リッジ（縁部）４７又は肩部５５等の、別の形態を具備しても良く、オペレータにとってしっかりしたグリップを提供しても良い。これら及び別の修正が、記載された請求項によってのみ限定されるべき本発明の開示の範囲内にあることが認識される。
【図面の簡単な説明】
【図１】  図１は、本発明による膨張装置の例示の実施の形態の立体図である。
【図２】  図２は、本発明による膨張装置の例示の実施の形態の側横断面組み立て図である。
【図３】  図３は、本発明による膨張装置の第２の例示の実施の形態の側横断面組み立て図である。
【図４】  図４は、図３の膨張装置のこれとは別の側横断面組み立て図である。
【図５】  図５は、図２の頂面図である。
【図６】  図６は、本発明による膨張装置のこれとは別の例示の実施の形態の図解的な横断面図である。
【図７】  図７は、本発明によるこれとは別の例示の係合機構の図解的な横断面図である。
【図８】  図８は、図７の機構の、図７の線８−８に沿って切断された、図面である。
【図９】  図９は、本発明による第３の例示の係合機構の図解的な側面図である。
【図１０】  図１０は、本発明による第４の例示の係合機構の図解的な側面図である。
【図１１】  図１１は、本発明による第５の例示の係合機構の図解的な側面図である。
【図１２】  図１２は、図１１の係合機構の第６の例示の実施の形態の図解的な側面図である。
【図１３】  図１３は、本発明による第７の例示の係合機構の図解的な側面図である。
【図１】
0004213349.tif 000002
【図２】
0004213349.tif 000003
【図３】
0004213349.tif 000004
【図４】
0004213349.tif 000005
【図５】
0004213349.tif 000006
【図６】
0004213349.tif 000007
【図７】
0004213349.tif 000008
【図８】
0004213349.tif 000009
【図９】
0004213349.tif 000010
【図１０】
0004213349.tif 000011
【図１１】
0004213349.tif 000012
【図１２】
0004213349.tif 000013
【図１３】
0004213349.tif 000014